(57)【要約】【課題】  壁に埋設されたコンセントに差し込まれた差込プラグを簡単に引き抜くことができるとともにテーブルタップのように固定していないコンセントであっても小さな力で、且つ片手で簡単に引き抜くことができるようにする。【解決手段】  そのために、コンセントの刃受け用孔（並行の孔）の孔縁に片手で軽く外すことができる構成とする。さらに、差込プラグの差込刃を二つの差込口に並行な方向に曲げることにより簡単に差込プラグを取り外せる工夫をした。加えて、使用者の手が届かない高さ位置にある差込プラグであっても該プラグを倒すことにより簡単に外すことができる。【選択図】図２
2012104465.tif 000002
【特許請求の範囲】
【請求項１】
コンセント内の刃受の中を差込刃が１８０度左右に倒れるようにし、コンセントの差込口が差込刃を弾性挟持する力が弱くなる位置まで倒れることを特徴とする請求項１に記載の電源用コンセント
【請求項２】
差込プラグを倒す事によりコンセントの刃受から差込刃が横滑りして差込プラグが離脱することを特徴とする請求項１に記載の電源用コンセント
【請求項３】
びっくりコンセント倒してポンの電源用コンセント
【発明の詳細な説明】
【技術分野】
【０００１】本発明は、一般家庭用の壁に埋設されたコンセントやテーブルタップのコンセントに関する。
【背景技術】
【０００２】一般に家庭用として使用される差込プラグは、一端を電気器具等に連結した電源コードの他端に設けたもの、一端にコンセントを連結した電源コードの他端に設けたものが知られている。そして、この差込プラグは、一般家庭用の壁に埋設されたコンセントやテーブルタップのコンセントに差し込んで電気器具等に交流電源を印加し、あるいはテーブルタップのコンセントに交流電源を供給する。【０００３】また、この差込プラグとコンセントとの連結（接続）は、差込プラグに取り付けられた差込刃を確実に保持するようにコンセント内に設けた一対の刃受自身に弾性を持たせて差込刃を挟持するようにしている。【０００４】しかし、この差込プラグとコンセントの確実な連結は接続不良を回避できるが、反対に差込プラグの離脱を煩わしくすることになる。すなわち、差込プラグの離脱の際には、一方の手で差込プラグの本体を持ち、他方の手でコンセントを持ちながら力を込めて差込プラグをコンセントから引き抜いている。【０００５】このため、以前から差込プラグの離脱を容易にするために多くの構造が考えられた。そのひとつの方法として、差込プラグを構成する絶縁性外装体に指を挿入する穴をあけ、この穴に指を入れて引き抜く構造が提案された。【０００６】この構成は、差込プラグの成型時に穴を設けることができるため、構造が簡単になる反面、長期間の使用に伴って穴が大きくなって引き抜き時のストロークが長くなり大きな手の動きが必要となる。また、穴を形成する縁部分が切れて引き抜きができなくなる。このために外装体の材料の選択を慎重に行う必要があるが、経年変化に対応させることは困難であった。
【発明の概要】
【発明が解決しようとする課題】
【０００７】差込プラグを離脱する際に、必ず両手を必要とすること、すなわち、一方の手で差込プラグを持ち他方の手でコンセントを持って引き抜き作業を行うこととなる。さらに、前述したように差込プラグとコンセントの刃受との接続を確実にすることによって生じる刃受の挟持力に打ち勝って差込プラグの離脱を行うには該差込プラグの引き抜きに大きな力が必要となることである。前者の場合は、差込プラグの離脱作業そのものは健常者にとって何の不具合もないが、両手が使えても力が出ない老人には大変面倒であった。特に、一方の手が不自由な障害者においては、コンセントを持つことができず非常に負担のかかる作業となった。解決手段【０００８】考案の詳細な説明従来差込プラグわ手で持って引張り抜き出していました。発想の転換びっくりコンセント倒してポンです本発明のコンセント内の刃受の中を差込刃が１８０度左右に倒れるようにしコンセントの差込口が差込刃を弾性挟持する力が弱くなる位置まで倒れるようにして差込プラグを離脱する。差込プラグを倒す事により差込刃が刃受から横滑りして差込プラグが離脱する。刃受の弾性の力が強いほど差込刃を倒す事により刃受から差込刃がはじかれてカチと音がして差込刃が横に飛出る。
【発明の効果】
【０００９】本発明のコンセントは、内装体に何ら別部材を設ける必要がなく、左右のいずれかの一方の手だけで簡単に、プラグ本体の差込刃を離脱し、且つ離脱後の差込プラグによる怪我を防止することができる。すなわち、コンセントに接続した差込プラグを左右のどの方向に離脱する場合においても押当部をコンセントに当て、てこの利用により簡単に所望の方向に離脱することができる。このことは、コンセントがどのような位置にあるか、すなわち、所謂テーブルタップタイプのコンセントで、そのコンセントは部屋内のどのような位置で差込プラグが接続されているか、コンセントに接続された差込プラグを離脱するには左右のどの方向に空間があるか、使用者の利き手はどちらか、また、使用者に手に障害がある場合などの種々の要素により差込プラグの回動方向が選択できる。刃受Ｕ字型の金属部材自体に弾性を保持させ、差込刃の差込時における接続を確実なものになるように構成されている。
【産業上の利用可能性】
【００１０】本発明は、電源コードを取り付けたコンセントの改良にかかり、一般家庭の壁コンセントや所謂テーブルタップに取り付けたコンセントコンセントが部屋内の垂直の壁の比較的上方に取り付けられた状態にあって、あらかじめ差込プラグが使用者の手が届かないような高さにコンセントに差し込まれて接続されている時の使用状態では、事前に前記プラグ本体の引掛け孔１４に紐（図示せず）を括り付けてプラグ本体をコンセントに接続しておき、プラグ本体の抜き出し時には紐を引き下げ、プラグ本体を回転させることにより、てこの作用によりプラグ本体の端縁がコンセントの壁面を支点として回転し差込刃がコンセントの受刃から外れて抜き出すことができる。
【符号の説明】
【００１１】Ａ  コンセントＨ  刃受１  プラグ本体２  差込刃３  差込口
【図面の簡単な説明】
【００１２】
【図１】図面１使用例差込プラグの左右の抜き出し連結接続を説明を示す断面図です本考案のコンセントから差込プラグを倒す事により差込刃が刃受から横滑りして差込刃が離脱する。
【００１３】
【図２】図面２発想の転換びっくりコンセント倒してポンです本発明のコンセント内の刃受の中を差込刃１８０度左右に倒れるようにしコンセントの差込口が差込刃を弾性挟持する力が弱くなる位置まで倒れるようにして差込プラグを離脱する。
【００１４】
【図３】図面３コンセントが部屋内の垂直の壁の比較的上方に取り付けられた状態にあって差込プラグに手が届かないような時事前に差込プラグの引掛ひもを引き下げ、差込刃がコンセントの刃受から外れて抜き出すことができる。差込プラグ本体をコンセントの外装体あて倒すと差込刃を刃受から引き抜くようにしている
【図１】
2012104465.tif 000003
【図２】
2012104465.tif 000004
【図３】
2012104465.tif 000005
【手続補正書】
【提出日】平成23年2月8日(2011.2.8)
【手続補正１】
【補正対象書類名】明細書
【補正対象項目名】０００１
【補正方法】変更
【補正の内容】
【０００１】            本発明は、コンセントの刃受け用孔（並行の孔）の孔縁に傾斜をつけることにより差込プラグの取り外し時に片手で軽く外すことができるともに、二つの差込口に並行な方向に曲げることにより簡単に取り外せるように工夫したものである。
【手続補正２】
【補正対象書類名】特許請求の範囲
【補正対象項目名】全文
【補正方法】変更
【補正の内容】
【特許請求の範囲】
【請求項１】
コンセント内の刃受の中を差込プラグの差込刃が１８０度左右に倒れるようにし、コンセントの差込口が差込刃を弾性挟持する力が弱くなる位置まで倒れることを特徴とするコンセント。
【請求項２】
差込プラグを倒すことによりコンセント内の刃受から差込刃が横滑りして差込プラグを離脱することを特徴とする請求項１に記載のコンセント。
【請求項３】
コンセントの刃受け用孔（並行の孔）の孔縁に傾斜をつけることにより、差込プラグの取り外し時に片手で軽く外すことができるように差込プラグの差込刃を二つの差込口に並行な方向に曲げることにより取り外すことを特徴とするコンセント。
【請求項４】
びっくりコンセント倒してポンのコンセント。